(57)【要約】【課題】セルラ通信システムとＷＬＡＮシステムとを連携させる場合において、ランダムアクセスプリアンブルの競合に起因する通信の途絶を回避する【解決手段】ＵＥ１００は、ＵＥ１００がｅＮＢ２００との接続を確立している場合において、ｅＮＢ２００と改めて接続を確立する際のランダムアクセス手順に使用すべきランダムアクセスプリアンブルを示すプリアンブル情報をｅＮＢ２００から受信する。ＵＥ１００は、ＵＥ１００がＡＰ３００との接続を確立し、かつｅＮＢ２００との接続を解放した場合でも、プリアンブル情報を破棄せずに保持する。【選択図】図８
2014220740.tif 000002
【特許請求の範囲】
【請求項１】
セルラ通信及びＷＬＡＮ通信をサポートするユーザ端末であって、
前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信する受信部と、
前記ユーザ端末がアクセスポイントとの接続を確立し、かつ前記セルラ基地局との接続を解放した場合でも、前記プリアンブル情報を破棄せずに保持する制御部と、
を備えることを特徴とするユーザ端末。
【請求項２】
前記制御部は、前記セルラ基地局との接続を解放した後、前記セルラ基地局との接続を改めて確立する際に、前記保持しているプリアンブル情報により示される前記ランダムアクセスプリアンブルを使用して前記ランダムアクセス手順を行うことを特徴とする請求項１に記載のユーザ端末。
【請求項３】
前記ユーザ端末には、前記セルラ基地局との接続を確立する他のユーザ端末とは異なる前記ランダムアクセスプリアンブルが前記セルラ基地局から割り当てられることを特徴とする請求項１に記載のユーザ端末。
【請求項４】
前記ユーザ端末には、前記アクセスポイントとの接続を確立する他のユーザ端末とは異なる前記ランダムアクセスプリアンブルが前記セルラ基地局から割り当てられることを特徴とする請求項１に記載のユーザ端末。
【請求項５】
前記ユーザ端末には、競合ベースのランダムアクセスプリアンブル群に含まれる前記ランダムアクセスプリアンブルが前記セルラ基地局から割り当てられることを特徴とする請求項１に記載のユーザ端末。
【請求項６】
前記制御部は、前記アクセスポイントとの接続を確立してから所定時間が経過した場合、又は、前記セルラ基地局とは異なるセルラ基地局との接続を確立する場合、前記保持しているプリアンブル情報を破棄することを特徴とする請求項１に記載のユーザ端末。
【請求項７】
前記ユーザ端末のＷＬＡＮ通信能力又はＷＬＡＮオン／オフ状態に関する通知を前記セルラ基地局に送信する送信部をさらに備え、
前記受信部は、前記通知に基づいて前記セルラ基地局から送信される前記プリアンブル情報を受信することを特徴とする請求項１に記載のユーザ端末。
【請求項８】
前記プリアンブル情報は、前記セルラ基地局から送信され、かつ前記アクセスポイントへの接続を指示する接続指示に含まれていることを特徴とする請求項１に記載のユーザ端末。
【請求項９】
ユーザ端末との接続を確立するセルラ基地局であって、
前記ユーザ端末との接続を確立している場合において、前記ユーザ端末が前記セルラ基地局と改めて接続を確立する際のランダムアクセス手順に使用すべきランダムアクセスプリアンブルを示すプリアンブル情報を前記ユーザ端末に通知する制御部を備えることを特徴とするセルラ基地局。
【請求項１０】
前記制御部は、前記セルラ基地局との接続を確立したユーザ端末ごとに異なる前記ランダムアクセスプリアンブルを割り当てることを特徴とする請求項９に記載のセルラ基地局。
【請求項１１】
前記制御部は、同一のアクセスポイントとの接続を確立するユーザ端末ごとに異なる前記ランダムアクセスプリアンブルを割り当てることを特徴とする請求項９に記載のセルラ基地局。
【請求項１２】
前記制御部は、競合ベースのランダムアクセスプリアンブル群に含まれる前記ランダムアクセスプリアンブルを割り当てることを特徴とする請求項９に記載のセルラ基地局。
【請求項１３】
前記制御部は、非競合ベースのランダムアクセスプリアンブル群に含まれる前記ランダムアクセスプリアンブルを割り当て、
前記制御部は、前記ユーザ端末に前記プリアンブル情報を通知してから所定時間が経過するまで、又は、前記ユーザ端末との接続を解放してから所定時間が経過するまでは、前記ユーザ端末に割り当てたランダムアクセスプリアンブルを他のユーザ端末に割り当てずに確保することを特徴とする請求項９に記載のセルラ基地局。
【請求項１４】
前記ユーザ端末のＷＬＡＮ通信能力又はＷＬＡＮオン／オフ状態に関する通知を前記ユーザ端末から受信する受信部をさらに備え、
前記制御部は、前記通知に基づいて前記プリアンブル情報を前記ユーザ端末に通知することを特徴とする請求項９に記載のセルラ基地局。
【請求項１５】
前記制御部は、アクセスポイントへの接続を指示する接続指示に前記プリアンブル情報を含めて前記ユーザ端末に通知することを特徴とする請求項９に記載のセルラ基地局。
【請求項１６】
セルラ通信及びＷＬＡＮ通信をサポートするユーザ端末において用いられるプロセッサであって、
前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信するステップと、
前記ユーザ端末がアクセスポイントとの接続を確立し、かつ前記セルラ基地局との接続を解放した場合でも、前記プリアンブル情報を破棄せずに保持するステップと、
を実行することを特徴とするプロセッサ。
【発明の詳細な説明】
【技術分野】
【０００１】
本発明は、無線ＬＡＮシステムと連携可能なセルラ通信システムにおいて用いられるユーザ端末、セルラ基地局、及びプロセッサに関する。
【背景技術】
【０００２】
近年、セルラ通信部及び無線ＬＡＮ（ＷＬＡＮ）通信部を有するユーザ端末（いわゆる、デュアル端末）の普及が進んでいる。また、セルラ通信システムのオペレータにより管理されるＷＬＡＮアクセスポイント（以下、単に「アクセスポイント」という）が増加している。
【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムとＷＬＡＮシステムとの連携を強化できる技術が検討される予定である（非特許文献１参照）。
【０００４】
例えば、ユーザ端末とセルラ基地局との間で送受信されるトラフィックをＷＬＡＮシステムに移行（すなわち、オフロード）させて、セルラ基地局のトラフィック負荷をＷＬＡＮシステムに分散させる方法が考えられる。
【先行技術文献】
【非特許文献】
【０００５】
【非特許文献１】３ＧＰＰ寄書  ＲＰ−１２０１４５５
【発明の概要】
【発明が解決しようとする課題】
【０００６】
上述したオフロードにより、多数のユーザ端末が、１つのアクセスポイントとの接続を確立し、かつセルラ基地局との接続を確立していない状況を想定する。
【０００７】
このような状況において、例えばアクセスポイントに障害が生じたような場合、多数のユーザ端末が、セルラ基地局との接続を確立するための処理（すなわち、ランダムアクセス手順）を一斉に行うことが考えられる。
【０００８】
ここで、ランダムアクセス手順においてランダムアクセスプリアンブルの競合が生じることにより、セルラ基地局との接続を確立できないユーザ端末は、通信が途絶するという問題がある。
【０００９】
そこで、本発明は、セルラ通信システムとＷＬＡＮシステムとを連携させる場合において、ランダムアクセスプリアンブルの競合に起因する通信の途絶を回避することを目的とする。
【課題を解決するための手段】
【００１０】
第１の特徴に係るユーザ端末は、セルラ通信及びＷＬＡＮ通信をサポートする。前記ユーザ端末は、前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信する受信部と、前記ユーザ端末がアクセスポイントとの接続を確立し、かつ前記セルラ基地局との接続を解放した場合でも、前記プリアンブル情報を破棄せずに保持する制御部と、を備える。
【００１１】
第２の特徴に係るセルラ基地局は、ユーザ端末との接続を確立する。前記セルラ基地局は、前記ユーザ端末との接続を確立している場合において、前記ユーザ端末が前記セルラ基地局と改めて接続を確立する際のランダムアクセス手順に使用すべきランダムアクセスプリアンブルを示すプリアンブル情報を前記ユーザ端末に通知する制御部を備える。
【００１２】
第３の特徴に係るプロセッサは、セルラ通信及びＷＬＡＮ通信をサポートするユーザ端末において用いられる。前記プロセッサは、前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信するステップと、前記ユーザ端末がアクセスポイントとの接続を確立し、かつ前記セルラ基地局との接続を解放した場合でも、前記プリアンブル情報を破棄せずに保持するステップと、を実行する。
【発明の効果】
【００１３】
本発明によれば、セルラ通信システムとＷＬＡＮシステムとを連携させる場合において、ランダムアクセスプリアンブルの競合に起因する通信の途絶を回避できる。
【図面の簡単な説明】
【００１４】
【図１】実施形態に係るシステム構成図である。
【図２】実施形態に係るＵＥ（ユーザ端末）のブロック図である。
【図３】実施形態に係るｅＮＢ（セルラ基地局）のブロック図である。
【図４】実施形態に係るＡＰ（アクセスポイント）のブロック図である。
【図５】ＬＴＥシステムにおける無線インターフェイスのプロトコルスタック図である。
【図６】ＬＴＥシステムで使用される無線フレームの構成図である。
【図７】実施形態に係る動作環境を説明するための図である。
【図８】実施形態に係る動作パターン１のシーケンス図である。
【図９】実施形態に係る動作パターン２のシーケンス図である。
【発明を実施するための形態】
【００１５】
［実施形態の概要］
実施形態に係るユーザ端末は、セルラ通信及びＷＬＡＮ通信をサポートする。前記ユーザ端末は、前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信する受信部と、前記ユーザ端末がアクセスポイントとの接続を確立し、かつ前記セルラ基地局との接続を解放した場合でも、前記プリアンブル情報を破棄せずに保持する制御部と、を備える。
【００１６】
実施形態では、前記制御部は、前記セルラ基地局との接続を解放した後、前記セルラ基地局との接続を改めて確立する際に、前記保持しているプリアンブル情報により示される前記ランダムアクセスプリアンブルを使用して前記ランダムアクセス手順を行う。
【００１７】
実施形態では、前記ユーザ端末には、前記セルラ基地局との接続を確立する他のユーザ端末とは異なる前記ランダムアクセスプリアンブルが前記セルラ基地局から割り当てられる。
【００１８】
実施形態では、前記ユーザ端末には、前記アクセスポイントとの接続を確立する他のユーザ端末とは異なる前記ランダムアクセスプリアンブルが前記セルラ基地局から割り当てられる。
【００１９】
実施形態では、前記ユーザ端末には、競合ベースのランダムアクセスプリアンブル群に含まれる前記ランダムアクセスプリアンブルが前記セルラ基地局から割り当てられる。
【００２０】
実施形態では、前記制御部は、前記アクセスポイントとの接続を確立してから所定時間が経過した場合、又は、前記セルラ基地局とは異なるセルラ基地局との接続を確立する場合、前記保持しているプリアンブル情報を破棄する。
【００２１】
実施形態では、前記ユーザ端末は、前記ユーザ端末のＷＬＡＮ通信能力又はＷＬＡＮオン／オフ状態に関する通知を前記セルラ基地局に送信する送信部をさらに備える。前記受信部は、前記通知に基づいて前記セルラ基地局から送信される前記プリアンブル情報を受信する。
【００２２】
実施形態では、前記プリアンブル情報は、前記セルラ基地局から送信され、かつ前記アクセスポイントへの接続を指示する接続指示に含まれている。
【００２３】
実施形態に係るセルラ基地局は、ユーザ端末との接続を確立する。前記セルラ基地局は、前記ユーザ端末との接続を確立している場合において、前記ユーザ端末が前記セルラ基地局と改めて接続を確立する際のランダムアクセス手順に使用すべきランダムアクセスプリアンブルを示すプリアンブル情報を前記ユーザ端末に通知する制御部を備える。
【００２４】
実施形態では、前記制御部は、前記セルラ基地局との接続を確立したユーザ端末ごとに異なる前記ランダムアクセスプリアンブルを割り当てる。
【００２５】
実施形態では、前記制御部は、同一のアクセスポイントとの接続を確立するユーザ端末ごとに異なる前記ランダムアクセスプリアンブルを割り当てる。
【００２６】
実施形態では、前記制御部は、競合ベースのランダムアクセスプリアンブル群に含まれる前記ランダムアクセスプリアンブルを割り当てる。
【００２７】
実施形態では、前記制御部は、非競合ベースのランダムアクセスプリアンブル群に含まれる前記ランダムアクセスプリアンブルを割り当てる。前記制御部は、前記ユーザ端末に前記プリアンブル情報を通知してから所定時間が経過するまで、又は、前記ユーザ端末との接続を解放してから所定時間が経過するまでは、前記ユーザ端末に割り当てたランダムアクセスプリアンブルを他のユーザ端末に割り当てずに確保する。
【００２８】
実施形態では、前記ユーザ端末のＷＬＡＮ通信能力又はＷＬＡＮオン／オフ状態に関する通知を前記ユーザ端末から受信する受信部をさらに備える。前記制御部は、前記通知に基づいて前記プリアンブル情報を前記ユーザ端末に通知する。
【００２９】
実施形態では、前記制御部は、アクセスポイントへの接続を指示する接続指示に前記プリアンブル情報を含めて前記ユーザ端末に通知する。
【００３０】
実施形態に係るプロセッサは、セルラ通信及びＷＬＡＮ通信をサポートするユーザ端末において用いられる。前記プロセッサは、前記ユーザ端末がセルラ基地局との接続を確立している場合において、前記セルラ基地局と改めて接続を確立する際のランダムアクセス手順に使用すべきランダムアクセスプリアンブルを示すプリアンブル情報を前記セルラ基地局から受信するステップと、前記ユーザ端末がアクセスポイントとの接続を確立し、かつ前記セルラ基地局との接続を解放した場合でも、前記プリアンブル情報を破棄せずに保持するステップと、を実行する。
【００３１】
［実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００３２】
（システム構成）
図１は、実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワークに相当する。ＥＰＣ２０は、コアネットワークに相当する。
【００３３】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３４】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３５】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００３６】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３７】
ＷＬＡＮシステムは、ＷＬＡＮアクセスポイント（以下、「ＡＰ」と称する）３００を含む。ＷＬＡＮシステムは、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００３８】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３９】
次に、ＵＥ１００、ｅＮＢ２００、及びＡＰ３００の構成を説明する。
【００４０】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００４２】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４３】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４４】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４５】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００４６】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４７】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００４８】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４９】
図４は、ＡＰ３００のブロック図である。図４に示すように、ＡＰ３００は、アンテナ３０１と、ＷＬＡＮ通信部３１１と、ネットワークインターフェイス３２０と、メモリ３３０と、プロセッサ３４０と、を有する。
【００５０】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００５１】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００５２】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００５３】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５４】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５５】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００５６】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５７】
ＰＤＣＰレイヤは、ヘッダ圧縮・伸張、及び暗号化・復号化を行う。
【００５８】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００５９】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６０】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６１】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。
【００６２】
ＵＥ１００に割り当てられる無線リソースのうち、周波数リソースはリソースブロックにより特定でき、時間リソースはサブフレーム（又はスロット）により特定できる。
【００６３】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。また、下りリンクにおいて、各サブフレームには、セル固有参照信号などの参照信号が分散して配置される。
【００６４】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００６５】
（ランダムアクセス手順）
ここで、ＬＴＥにおける一般的なランダムアクセス手順について説明する。ＵＥ１００は、ｅＮＢ２００との接続を確立していない状態（アイドル状態）から、ｅＮＢ２００との接続を確立した状態（接続状態）に遷移するためにランダムアクセス手順を行う。
【００６６】
ランダムアクセス手順に先立ち、ＵＥ１００は、セルサーチにより下りリンクの同期をｅＮＢ２００と確立する。そして、ＵＥ１００は、ｅＮＢ２００からの報知情報（ＭＩＢ及びＳＩＢ）を受信及び復号し、上りリンクの同期を確立するためにランダムアクセス手順を開始する。
【００６７】
第１の処理として、ＵＥ１００は、ランダムアクセスチャネル（ＲＡＣＨ）上でランダムアクセスプリアンブルをｅＮＢ２００に送信する。ＲＡＣＨは、物理ランダムアクセスチャネル（ＰＲＡＣＨ）にマッピングされる。
【００６８】
尚、ｅＮＢ２００は、ランダムアクセスプリアンブルの送信に使用可能なリソース（ランダムアクセスリソース）の情報をブロードキャストで送信（例えばＳＩＢ２で送信）している。ＵＥ１００は、使用可能なランダムアクセスリソースの中から選択したランダムアクセスリソースを用いてランダムアクセスプリアンブルを送信する。ランダムアクセスリソースは、プリアンブル系列を含む。プリアンブル系列は、２つのパラメータ（ｒａ−ＰｒｅａｍｂｌｅＩｎｄｅｘ、ｒａ−ＰＲＡＣＨ−ＭａｓｋＩｎｄｅｘ）の組み合わせにより定められる。
【００６９】
尚、ＳＩＢ２で通知されるランダムアクセスプリアンブルは、競合ベース（コンテンションベース）のランダムアクセスプリアンブル（群）である。競合ベースのランダムアクセスプリアンブルは、ＵＥ１００専用に割り当てられるのではなく、ＵＥ１００がランダムアクセスプリアンブル群の中から何れかのランダムアクセスプリアンブルを選択して使用できる。これに対し、ハンドオーバ時には、非競合ベース（ノン・コンテンションベース）のランダムアクセスプリアンブル（群）が使用される。非競合ベースのランダムアクセスプリアンブルは、ハンドオーバを行うＵＥ１００専用に割り当てられるので、競合が生じない。
【００７０】
第２の処理として、ｅＮＢ２００は、ＵＥ１００からランダムアクセスプリアンブルを受信した後、該ランダムアクセスプリアンブルに基づいてＵＥ１００との間の遅延推定を行うとともに、ＵＥ１００に割り当てる無線リソースを決定する。そして、ｅＮＢ２００は、ランダムアクセスプリアンブルに対する応答であるランダムアクセス応答をＤＬ−ＳＣＨ上でＵＥ１００に送信する。ランダムアクセス応答は、遅延推定の結果に基づくタイミング補正値と、決定した割当てリソースの情報と、を含む。
【００７１】
第３の処理として、ＵＥ１００は、ｅＮＢ２００からのランダムアクセス応答を受信した後、該ランダムアクセス応答で示されるリソースを用いて、接続確立要求（ＲＲＣ  Ｃｏｎｎｅｃｔｉｏｎ  Ｒｅｑｕｅｓｔ）をＣＣＣＨ上でｅＮＢ２００に送信する。接続確立要求は、ＵＥ１００の識別情報（一時的な識別子）を含む。
【００７２】
第４の処理として、ｅＮＢ２００は、ＵＥ１００からの接続確立要求を受信した後、該接続確立要求に対する応答である接続確立応答をＣＣＣＨ上でＵＥ１００に送信する。接続確立応答は、肯定応答（ＲＲＣ  Ｃｏｎｎｅｃｔｉｏｎ  Ｓｅｔｕｐ）又は否定応答（ＲＲＣ  Ｃｏｎｎｅｃｔｉｏｎ  Ｒｅｊｅｃｔ）である。接続確立応答は、送信先のＵＥ１００の識別情報を含む。ＵＥ１００は、該接続確立応答に含まれるＵＥ識別情報と、自身が送信したＵＥ識別情報と、が一致するか否かを確認する。ＵＥ識別情報が一致すれば、ＵＥ１００は、該接続確立応答が自身宛のものであると判断し、ｅＮＢ２００との接続確立を完了する。
【００７３】
上述した第１の処理において、複数のＵＥ１００が同じランダムアクセスリソース（プリアンブル系列）でランダムアクセスプリアンブルを送信する場合には、アクセス競合が生じる。この場合、ｅＮＢ２００が送信したランダムアクセス応答に対して複数のＵＥ１００が反応してしまうので、衝突が生じる。このような衝突が生じたＵＥ１００は、ｅＮＢ２００との接続を確立できず、ランダムアクセス手順を改めて行うことになる。
【００７４】
（実施形態に係る動作）
次に、実施形態に係る動作について説明する。
【００７５】
（１）動作環境
図７は、実施形態に係る動作環境を説明するための図である。図７に示すように、ｅＮＢ２００のカバレッジ内にＡＰ３００が設けられている。ＡＰ３００は、オペレータにより管理されるＡＰ（Ｏｐｅｒａｔｏｒ  ｃｏｎｔｒｏｌｌｅｄ  ＡＰ）である。
【００７６】
また、ｅＮＢ２００のカバレッジ内であって、かつＡＰ３００のカバレッジ内に複数のＵＥ１００が位置している。ＵＥ１００は、ｅＮＢ２００との接続を確立しており、ｅＮＢ２００とのセルラ通信を行っている。具体的には、ＵＥ１００は、トラフィック（ユーザデータ）を含んだセルラ無線信号をｅＮＢ２００と送受信している。
【００７７】
ｅＮＢ２００が多数のＵＥ１００との接続を確立する場合、ｅＮＢ２００の負荷レベルが高くなる。負荷レベルとは、ｅＮＢ２００のトラフィック負荷又はｅＮＢ２００の無線リソース使用率など、ｅＮＢ２００の混雑度を意味する。ここで、ＵＥ１００とｅＮＢ２００との間で送受信されるトラフィックの少なくとも一部をＷＬＡＮシステムに移行（オフロード）させることにより、ｅＮＢ２００のトラフィック負荷をＷＬＡＮシステムに分散できる。
【００７８】
そこで、ＵＥ１００又はｅＮＢ２００は、ＡＰ３００へのオフロードを行うことを決定し、ＵＥ１００の接続をｅＮＢ２００からＡＰ３００に切り替える。その結果、複数のＵＥ１００が、ＡＰ３００との接続を確立し、かつｅＮＢ２００との接続を確立していない状況（アイドル状態）になる。
【００７９】
このような状況において、例えばＡＰ３００に障害が生じたような場合、複数のＵＥ１００が、ｅＮＢ２００との接続を確立するために、上述したランダムアクセス手順を一斉に行うことが考えられる。ここで、ランダムアクセス手順においてランダムアクセスプリアンブルの競合が生じることにより、ｅＮＢ２００との接続を確立できないＵＥ１００は、通信が途絶してしまう。
【００８０】
そこで、このようなランダムアクセスプリアンブルの競合に起因する通信の途絶を回避するための実施形態に係る動作シーケンスを以下において説明する。
【００８１】
（２）動作シーケンス
次に、実施形態に係る動作シーケンスについて、動作パターン１及び２の順に説明する。
【００８２】
動作パターン１は、例えばＵＥ１００主導でオフロードを開始する場合であって、ＵＥ１００がＡＰ３００との接続を開始するタイミングをｅＮＢ２００が把握できない場合の動作パターンである。
【００８３】
これに対し、動作パターン２は、例えばｅＮＢ２００主導でオフロードを開始する場合であって、ＵＥ１００がＡＰ３００との接続を開始するタイミングをｅＮＢ２００が把握できる場合の動作パターンである。
【００８４】
（２．１）動作パターン１
図８は、実施形態に係る動作パターン１のシーケンス図である。本シーケンスの初期状態において、複数のＵＥ１００（ＵＥ１００−１乃至１００−ｎ）はｅＮＢ２００との接続を確立した状態（接続状態）であり、かつＷＬＡＮ通信部１１２はオン状態である。
【００８５】
図８に示すように、ステップＳ１０１−１において、ｅＮＢ２００のプロセッサ２４０は、ＵＥ１００−１がｅＮＢ２００と改めて接続を確立する際のランダムアクセス手順に使用すべきランダムアクセスプリアンブルを示すプリアンブル情報を、セルラ通信部２１０によりＵＥ１００−１に通知する。プリアンブル情報は、プリアンブル系列を定める２つのパラメータ（ｒａ−ＰｒｅａｍｂｌｅＩｎｄｅｘ、ｒａ−ＰＲＡＣＨ−ＭａｓｋＩｎｄｅｘ）を含む。プリアンブル情報は、ＵＥ個別のメッセージ（例えばＲＲＣメッセージ）によりｅＮＢ２００からＵＥ１００−１に通知される。
【００８６】
動作パターン１では、プリアンブル情報の通知トリガは、例えば、ＵＥ１００−１がｅＮＢ２００との接続確立が完了したこと、又は、ＵＥ１００−１がｅＮＢ２００へのハンドオーバを実行したこと、ネットワーク選択用のメッセージをｅＮＢ２００からＵＥ１００−１に送信すること、の何れかである。
【００８７】
動作パターン１では、ＵＥ１００−１には、ｅＮＢ２００との接続を確立する他のＵＥ１００とは異なるランダムアクセスプリアンブルがｅＮＢ２００から割り当てられる。すなわち、ｅＮＢ２００のプロセッサ２４０は、ｅＮＢ２００との接続を確立したＵＥ１００ごとに異なるランダムアクセスプリアンブルを割り当てる。異なるランダムアクセスプリアンブルとは、ｒａ−ＰｒｅａｍｂｌｅＩｎｄｅｘ、ｒａ−ＰＲＡＣＨ−ＭａｓｋＩｎｄｅｘの少なくとも一方が異なるプリアンブル系列からなるランダムアクセスプリアンブルである。
【００８８】
動作パターン１では、ｅＮＢ２００は、競合ベースのランダムアクセスプリアンブル群に含まれるランダムアクセスプリアンブルをＵＥ１００−１に割り当てる。但し、後述するように、非競合ベースのランダムアクセスプリアンブル群に含まれるランダムアクセスプリアンブルをＵＥ１００−１に割り当ててもよい。
【００８９】
ＵＥ１００のセルラ通信部１１１は、プリアンブル情報を受信する。プロセッサ１６０は、セルラ通信部１１１が受信したプリアンブル情報をメモリ１５０に格納する。
【００９０】
ステップＳ１０２−１において、ＵＥ１００のプロセッサ１６０は、プリアンブル情報を保持すべき期間を計時するためのタイマを起動する。プロセッサ１６０は、ＡＰ３００へのオフロードを開始する際に、タイマを起動する。
【００９１】
ステップＳ１０３−１において、ＵＥ１００のプロセッサ１６０は、オフロードを開始し、ＷＬＡＮ通信部１１２によりＡＰ３００との接続を確立し、ｅＮＢ２００との接続を解放する。その結果、ＵＥ１００は、セルラ通信の接続状態からアイドル状態に遷移する。ここで、ＵＥ１００のプロセッサ１６０は、ＵＥ１００がＡＰ３００との接続を確立し、かつｅＮＢ２００との接続を解放した場合でも、メモリ１５０に格納したプリアンブル情報を破棄せずに保持する。
【００９２】
また、ステップＳ１０１−２乃至Ｓ１０３−２において、ＵＥ１００−２は、ＵＥ１００−１と同様の動作を行う。ステップＳ１０１−ｎ乃至Ｓ１０３−ｎにおいて、ＵＥ１００−ｎは、ＵＥ１００−１と同様の動作を行う。
【００９３】
ステップＳ１０４において、ＵＥ１００−１乃至１００−ｎは、ＡＰ３００との接続によりＡＰ３００とのＷＬＡＮ通信を行う。
【００９４】
ステップＳ１０５−１において、ＵＥ１００−１のプロセッサ１６０は、ｅＮＢ２００への接続の切り替え（すなわち、ＡＰ３００からのアウトバウンド）を決定する。また、ステップＳ１０５−２において、ＵＥ１００−２のプロセッサ１６０は、ＮＢ２００への接続の切り替えを決定する。ステップＳ１０５−ｎにおいて、ＵＥ１００−ｎのプロセッサ１６０は、ｅＮＢ２００への接続の切り替えを決定する。
【００９５】
ステップＳ１０６−１において、ＵＥ１００−１のプロセッサ１６０は、セルラ通信部１１１によりｅＮＢ２００との下りリンクの同期を確立する。また、ステップＳ１０６−２において、ＵＥ１００−２のプロセッサ１６０は、セルラ通信部１１１によりｅＮＢ２００との下りリンクの同期を確立する。ステップＳ１０６−ｎにおいて、ＵＥ１００−ｎのプロセッサ１６０は、セルラ通信部１１１によりｅＮＢ２００との下りリンクの同期を確立する。
【００９６】
ステップＳ１０７−１において、ＵＥ１００−１のプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【００９７】
また、ステップＳ１０７−２において、ＵＥ１００−２のプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【００９８】
ステップＳ１０７−ｎにおいて、ＵＥ１００−ｎのプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【００９９】
その結果、ランダムアクセスプリアンブルがＵＥ１００−１乃至１００−ｎで一致することを防止し、ランダムアクセスプリアンブルの競合に起因する通信の途絶を回避できる。
【０１００】
尚、ＵＥ１００−１乃至１００−ｎのそれぞれは、ＡＰ３００との接続を確立してから所定時間が経過した場合（すなわち、タイマが満了した場合）、又は、ｅＮＢ２００とは異なるｅＮＢ２００との接続を確立する場合には、保持しているプリアンブル情報を破棄してもよい。
【０１０１】
（２．２）動作パターン２
図９は、実施形態に係る動作パターン２のシーケンス図である。本シーケンスの初期状態において、複数のＵＥ１００（ＵＥ１００−１乃至１００−ｎ）はｅＮＢ２００との接続を確立した状態（接続状態）であり、かつＷＬＡＮ通信部１１２はオン状態である。
【０１０２】
図９に示すように、ステップＳ２０１−１において、ＵＥ１００−１のプロセッサ１６０は、ＡＰ３００へのオフロードを開始することを決定する。但し、オフロードの開始は、ｅＮＢ２００が決定してもよい。
【０１０３】
ステップＳ２０２−１において、ＵＥ１００−１のプロセッサ１６０は、オフロード先のＡＰ３００の識別子（ＳＳＩＤ又はＢＳＳＩＤ）をセルラ通信部１１１によりｅＮＢ２００に通知する。ｅＮＢ２００のセルラ通信部２１０は、オフロード先のＡＰ３００の識別子を受信する。
【０１０４】
ステップＳ２０３−１において、ｅＮＢ２００のプロセッサ２４０は、ＵＥ１００−１がｅＮＢ２００と改めて接続を確立する際のランダムアクセス手順に使用すべきランダムアクセスプリアンブルを示すプリアンブル情報を、セルラ通信部２１０によりＵＥ１００−１に通知する。プリアンブル情報は、プリアンブル系列を定める２つのパラメータ（ｒａ−ＰｒｅａｍｂｌｅＩｎｄｅｘ、ｒａ−ＰＲＡＣＨ−ＭａｓｋＩｎｄｅｘ）を含む。プリアンブル情報は、ＵＥ個別のメッセージ（例えばＲＲＣメッセージ）によりｅＮＢ２００からＵＥ１００−１に通知される。プリアンブル情報は、ｅＮＢ２００から送信され、かつＡＰ３００への接続を指示する接続指示に含まれていてもよい。
【０１０５】
動作パターン２では、プリアンブル情報の通知トリガは、例えばＡＰ３００へのオフロードを開始することを決定したことである。
【０１０６】
動作パターン２では、ＵＥ１００−１には、ＡＰ３００との接続を確立する他のＵＥ１００とは異なるランダムアクセスプリアンブルがｅＮＢ２００から割り当てられる。すなわち、ｅＮＢ２００のプロセッサ２４０は、同一のＡＰ３００との接続を確立するＵＥ１００ごとに異なるランダムアクセスプリアンブルを割り当てる。異なるランダムアクセスプリアンブルとは、ｒａ−ＰｒｅａｍｂｌｅＩｎｄｅｘ、ｒａ−ＰＲＡＣＨ−ＭａｓｋＩｎｄｅｘの少なくとも一方が異なるプリアンブル系列からなるランダムアクセスプリアンブルである。
【０１０７】
動作パターン２では、ｅＮＢ２００は、非競合ベースのランダムアクセスプリアンブル群に含まれるランダムアクセスプリアンブルをＵＥ１００−１に割り当てる。但し、ｅＮＢ２００は、上述したように、競合ベースのランダムアクセスプリアンブル群に含まれるランダムアクセスプリアンブルをＵＥ１００−１に割り当ててもよい。
【０１０８】
ステップＳ２０４−１において、ｅＮＢ２００のプロセッサ２４０は、ＵＥ１００−１に割り当てたランダムアクセスプリアンブル（非競合ベース）を他のＵＥ１００に割り当てずに確保すべき期間を計時するためのタイマを起動する。このタイマを起動するタイミングは、ＵＥ１００−１にプリアンブル情報を通知するタイミングであってもよく、ＵＥ１００−１のオフロード開始タイミング（ＵＥ１００−１の接続解放タイミング）であってもよい。尚、ｅＮＢ２００は、タイマが満了した場合、又は、ＵＥ１００−１からランダムアクセスプリアンブル（非競合ベース）を受信した場合、ＵＥ１００−１に確保していたランダムアクセスプリアンブル（非競合ベース）を解放する。
【０１０９】
ＵＥ１００のセルラ通信部１１１は、プリアンブル情報を受信する。プロセッサ１６０は、セルラ通信部１１１が受信したプリアンブル情報をメモリ１５０に格納する。
【０１１０】
ステップＳ２０５−１において、ＵＥ１００のプロセッサ１６０は、プリアンブル情報を保持すべき期間を計時するためのタイマを起動する。プロセッサ１６０は、ＡＰ３００へのオフロードを開始する際に、タイマを起動する。
【０１１１】
ステップＳ２０６−１において、ＵＥ１００のプロセッサ１６０は、オフロードを開始し、ＷＬＡＮ通信部１１２によりＡＰ３００との接続を確立し、ｅＮＢ２００との接続を解放する。その結果、ＵＥ１００は、セルラ通信の接続状態からアイドル状態に遷移する。ここで、ＵＥ１００のプロセッサ１６０は、ＵＥ１００がＡＰ３００との接続を確立し、かつｅＮＢ２００との接続を解放した場合でも、メモリ１５０に格納したプリアンブル情報を破棄せずに保持する。
【０１１２】
また、ステップＳ２０１−２乃至Ｓ２０６−２において、ＵＥ１００−２（及びｅＮＢ２００）は、ＵＥ１００−１と同様の動作を行う。ステップＳ２０１−ｎ乃至Ｓ２０３−ｎにおいて、ＵＥ１００−ｎ（及びｅＮＢ２００）は、ＵＥ１００−１と同様の動作を行う。
【０１１３】
ステップＳ２０７において、ＵＥ１００−１乃至１００−ｎは、ＡＰ３００との接続によりＡＰ３００とのＷＬＡＮ通信を行う。
【０１１４】
ステップＳ２０８−１において、ＵＥ１００−１のプロセッサ１６０は、ｅＮＢ２００への接続の切り替え（すなわち、ＡＰ３００からのアウトバウンド）を決定する。また、ステップＳ２０８−２において、ＵＥ１００−２のプロセッサ１６０は、ＮＢ２００への接続の切り替えを決定する。ステップＳ２０８−ｎにおいて、ＵＥ１００−ｎのプロセッサ１６０は、ｅＮＢ２００への接続の切り替えを決定する。
【０１１５】
ステップＳ２０９−１において、ＵＥ１００−１のプロセッサ１６０は、セルラ通信部１１１によりｅＮＢ２００との下りリンクの同期を確立する。また、ステップＳ２０９−２において、ＵＥ１００−２のプロセッサ１６０は、セルラ通信部１１１によりｅＮＢ２００との下りリンクの同期を確立する。ステップＳ２０９−ｎにおいて、ＵＥ１００−ｎのプロセッサ１６０は、セルラ通信部１１１によりｅＮＢ２００との下りリンクの同期を確立する。
【０１１６】
ステップＳ２１０−１において、ＵＥ１００−１のプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【０１１７】
また、ステップＳ２１０−２において、ＵＥ１００−２のプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【０１１８】
ステップＳ２１０−ｎにおいて、ＵＥ１００−ｎのプロセッサ１６０は、ｅＮＢ２００との接続を改めて確立する際に、メモリ１５０に保持しているプリアンブル情報により示されるランダムアクセスプリアンブルを使用してランダムアクセス手順を行う。
【０１１９】
その結果、ランダムアクセスプリアンブルがＵＥ１００−１乃至１００−ｎで一致することを防止し、ランダムアクセスプリアンブルの競合に起因する通信の途絶を回避できる。
【０１２０】
尚、ＵＥ１００−１乃至１００−ｎのそれぞれは、ＡＰ３００との接続を確立してから所定時間が経過した場合（すなわち、タイマが満了した場合）、又は、ｅＮＢ２００とは異なるｅＮＢ２００との接続を確立する場合には、保持しているプリアンブル情報を破棄してもよい。
【０１２１】
（実施形態のまとめ）
実施形態に係るＵＥ１００は、ＵＥ１００がｅＮＢ２００との接続を確立している場合において、ｅＮＢ２００と改めて接続を確立する際のランダムアクセス手順に使用すべきランダムアクセスプリアンブルを示すプリアンブル情報をｅＮＢ２００から受信する。ＵＥ１００は、ＵＥ１００がＡＰ３００との接続を確立し、かつｅＮＢ２００との接続を解放した場合でも、プリアンブル情報を破棄せずに保持する。
【０１２２】
よって、ＵＥ１００は、ｅＮＢ２００と改めて接続を確立する際のランダムアクセス手順において、ＵＥ１００が自身で選択したランダムアクセスプリアンブルではなく、ｅＮＢ２００から予め指定されたランダムアクセスプリアンブルを使用できる。従って、ランダムアクセスプリアンブルがＵＥ１００間で一致することを防止し、ランダムアクセスプリアンブルの競合に起因する通信の途絶を回避できる。
【０１２３】
実施形態の動作パターン１では、ＵＥ１００には、ｅＮＢ２００との接続を確立する他のＵＥ１００とは異なるランダムアクセスプリアンブルがｅＮＢ２００から割り当てられる。すなわち、ｅＮＢ２００は、ｅＮＢ２００との接続を確立したＵＥ１００ごとに異なるランダムアクセスプリアンブルを割り当てる。
【０１２４】
実施形態の動作パターン２では、ＵＥ１００には、ＡＰ３００との接続を確立する他のＵＥ１００とは異なるランダムアクセスプリアンブルがｅＮＢ２００から割り当てられる。すなわち、ｅＮＢ２００は、同一のＡＰ３００との接続を確立するＵＥ１００ごとに異なるランダムアクセスプリアンブルを割り当てる。
【０１２５】
よって、ランダムアクセスプリアンブルの競合をより確実に回避できる。
【０１２６】
実施形態の動作パターン１では、ＵＥ１００には、競合ベースのランダムアクセスプリアンブル群に含まれるランダムアクセスプリアンブルがｅＮＢ２００から割り当てられる。これにより、非競合ベースのランダムアクセスプリアンブル群をｅＮＢ２００間ハンドオーバのために確保しておくことができる。
【０１２７】
実施形態の動作パターン２では、ＵＥ１００には、非競合ベースのランダムアクセスプリアンブル群に含まれるランダムアクセスプリアンブルがｅＮＢ２００から割り当てられる。ｅＮＢ２００は、ＵＥ１００にプリアンブル情報を通知してから所定時間が経過するまでは、ＵＥ１００に割り当てたランダムアクセスプリアンブルを他のＵＥ１００に割り当てずに確保する。これにより、ランダムアクセスプリアンブルの競合をより確実に回避できる。
【０１２８】
実施形態の動作パターン２では、プリアンブル情報は、ｅＮＢ２００から送信され、かつＡＰ３００への接続を指示する接続指示に含まれている。これにより、ＡＰ３００と接続するＵＥ１００がプリアンブル情報を取得できる。
【０１２９】
実施形態では、ＵＥ１００は、ＡＰ３００との接続を確立してから所定時間が経過した場合、又は、ｅＮＢ２００とは異なるｅＮＢ２００との接続を確立する場合、保持しているプリアンブル情報を破棄する。これにより、適切なタイミングでプリアンブル情報を破棄できる。
【０１３０】
［変更例］
上述した実施形態では、ＵＥ１００がＷＬＡＮ通信をサポートしており、かつＷＬＡＮ通信部１１２がオン状態であることを想定していた。しかしながら、実環境では、ＷＬＡＮ通信をサポートしないＵＥ１００、又はＷＬＡＮ通信部１１２がオフ状態であるＵＥ１００も存在する。
【０１３１】
よって、ＵＥ１００は、ＵＥ１００のＷＬＡＮ通信能力又はＷＬＡＮオン／オフ状態に関する通知をｅＮＢ２００に送信してもよい。ｅＮＢ２００は、ＵＥ１００からの通知に基づいて、プリアンブル情報をＵＥ１００に通知する。具体的には、ｅＮＢ２００は、ＷＬＡＮ通信をサポートしており、かつＷＬＡＮ通信部１１２がオン状態であるＵＥ１００に対してのみ、プリアンブル情報を送信する。
【０１３２】
このように、ＵＥ１００は、ＵＥ１００のＷＬＡＮ通信能力又はＷＬＡＮオン／オフ状態に関する通知をｅＮＢ２００に送信した後、その通知に基づいてｅＮＢ２００から送信されるプリアンブル情報を受信する。これにより、ＡＰ３００と接続可能なＵＥ１００がプリアンブル情報を取得できる。
【０１３３】
［その他の実施形態］
プリアンブル情報を受信したＵＥ１００において、ＡＰ３００のオフロードを行う意志がない場合には、その旨をｅＮＢ２００に通知してもよい。
【０１３４】
上述した実施形態では、ｅＮＢ２００が広いカバレッジを有するマクロセル基地局である場合を想定していたが、ｅＮＢ２００は、ＡＰ３００と同程度のカバレッジを有する小セル基地局であってもよい。また、ｅＮＢ２００が小セル基地局である場合で、ＡＰ３００がｅＮＢ２００と併設（Ｃｏｌｌｏｃａｔｅｄ）されていてもよい。
【０１３５】
上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１３６】
Ｅ−ＵＴＲＡＮ１０、ＥＰＣ２０、ＵＥ１００、アンテナ１０１，１０２、セルラ通信部１１１、ＷＬＡＮ通信部１１２、ユーザインターフェイス１２０、ＧＮＳＳ受信機１３０、バッテリ１４０、メモリ１５０、プロセッサ１６０、ｅＮＢ２００、アンテナ２０１、セルラ通信部２１０、ネットワークインターフェイス２２０、メモリ２３０、プロセッサ２４０、ＡＰ３００、アンテナ３０１、ＷＬＡＮ通信部３１１、ネットワークインターフェイス３２０、メモリ３３０、プロセッサ３４０、ＭＭＥ／Ｓ−ＧＷ５００
【図１】
2014220740.tif 000003
【図２】
2014220740.tif 000004
【図３】
2014220740.tif 000005
【図４】
2014220740.tif 000006
【図５】
2014220740.tif 000007
【図６】
2014220740.tif 000008
【図７】
2014220740.tif 000009
【図８】
2014220740.tif 000010
【図９】
2014220740.tif 000011